(57)【要約】【課題】  汎用性の高い設定キースイッチをユニット化して、再利用・交換可能とすることで、コストの低減を図りつつ、設定変更時の作業性を向上するとともに、不正な設定変更を抑止する。【解決手段】遊技機を大当り当せん確率が設定変更可能な状態にする設定キースイッチ１１０を備える設定キーユニット１１であって、キー操作に基づく設定キースイッチ１１０からの信号を伝送するとともに、主基板と着脱可能に接続される接続部と、設定キースイッチの鍵穴部１１０ａ以外と接続部を覆うとともに、設定キースイッチ１１０を支持するホルダー１１１と、鍵穴部１１０ａを開閉可能に覆うカバー１１５と、当該設定キーユニット１１１を基板ケースに取り付ける取り付け構造（１１２，１１３ａ）と、を備える構成としてある。【選択図】  図４
2011078674.tif 000002
【特許請求の範囲】
【請求項１】
遊技機の大当り当せん確率を設定変更可能な状態にする設定キースイッチを備える設定キーユニットであって、
キー操作に基づく設定キースイッチからの信号を伝送するとともに、所定の回路基板と着脱可能に接続される接続部と、
設定キースイッチの鍵穴部以外と前記接続部を覆うとともに、設定キースイッチを支持するホルダーと、
設定キースイッチの鍵穴部を開閉可能に覆うカバーと、
当該設定キーユニットを遊技機内の所定の部位に取り付ける取り付け構造と、を備えることを特徴とする設定キーユニット。
【請求項２】
外力を加えない限り、前記カバーを閉状態又は開状態のいずれかの状態に保持する開閉保持構造を備える請求項１記載の設定キーユニット。
【請求項３】
前記開閉保持構造は、
前記カバーを回動可能に支持する軸部と、
前記カバーとともに回動し、閉状態から開状態の間に亘り、所定の部位に当接してカバーの回動を妨げるカムと、
前記軸部を支持し、前記軸部の軸方向と直交する方向に弾性変形する弾性支持部と、を備える請求項２記載の設定キーユニット。
【請求項４】
前記設定キースイッチを導電体で形成し、この設定キースイッチに所定のアース端子を取り付けた請求項１〜３のいずれか一項に記載の設定キーユニット。
【請求項５】
設定キースイッチからの信号に基づいて大当り当せん確率を設定変更可能な状態に制御する主基板が収容された遊技機用基板ケースであって、
前記設定キースイッチを備える設定キーユニットが装着され、
前記設定キーユニットは、請求項１〜４のいずれか一項に記載の設定キーユニットであることを特徴とする遊技機用基板ケース。
【請求項６】
設定キースイッチからの信号に基づいて大当り当せん確率を設定変更可能な状態に制御する主基板が収容された遊技機用基板ケースを備える遊技機であって、
前記遊技機用基板ケースは、請求項５記載の遊技機用基板ケースであることを特徴とする遊技機。
【請求項７】
正面側が開口され、前記遊技機用基板ケースが収容される筐体と、
この筐体にヒンジを介して開閉可能に取り付けられた扉体と、を備え、
前記遊技機用基板ケースを筐体後面に取り付けるとともに、
前記設定キーユニットを前記遊技機用基板ケースの前記ヒンジ側に装着した請求項６記載の遊技機。
【発明の詳細な説明】
【技術分野】
【０００１】
本発明は、キー操作に基づいて遊技機の大当り当せん確率を設定変更可能な状態にする設定キースイッチを備える設定キーユニットと、これを装着した遊技機用基板ケースと、この遊技機用基板ケースを備える遊技機に関し、特に、汎用性の高い設定キースイッチをユニット化して、再利用や交換可能とすることで、コストの低減を図りつつ、設定変更時の作業性と、不正な設定変更を抑止する設定キーユニットと、これを装着した遊技機用基板ケースと、この遊技機用基板ケースを備える遊技機に関する。
【背景技術】
【０００２】
パチンコ機やスロットマシンなどの遊技機には、キー操作に基づいて大当り当せん確率を設定変更可能な状態にする設定キースイッチが設けられている。
設定キースイッチは、対応する設定キーを挿入・回転してオン状態としたまま、遊技機の電源を投入することで、大当り確率を変更可能な状態にすることができる電子キーとして構成され、通常、遊技機の電源を生成・供給する電源基板を収容する電源ボックスや、遊技機を制御する主基板を収容する基板ケースに内蔵されている。また、この設定キースイッチは、鍵穴部が開閉可能な所定のカバー部材で覆われるとともに、これらの電源基板や主基板に直接半田接合され、取り外すことができないようになっている（特許文献１参照）。
【先行技術文献】
【特許文献】
【０００３】
【特許文献１】特開２００９−５６１８７号公報（第２０頁、第５図，第６図、第２１頁、第図８，第図９）
【発明の概要】
【発明が解決しようとする課題】
【０００４】
しかしながら、従来のように、設定キースイッチを電源ボックスや基板ケースに内蔵させる方式では、以下のような弊害を生じさせていた。
例えば、設定キースイッチは、汎用部品であるにもかかわらず、電源基板や主基板に直接半田接合してしまうと、設定キースイッチに不具合が発生したときにはこれらの基板ごと交換しなければならず、交換費用が高くなるとともに、リサイクルすることが困難となっていた。
また、設定キースイッチの鍵穴部は、通常、外部からの異物の侵入を阻止するために、カバー部材で覆われているが、遊技場の管理者等が設定変更を行うときには、このカバー部材がキー操作の障害となり、作業性を低下させていた。
また、遊技機において設定キースイッチを前扉の開放される側に配置すると、前扉を僅かに開いただけで、キー操作が可能となってしまい、不正行為を誘発するおそれがあった。
【０００５】
本発明は、以上のような問題を解決するために提案されたものであり、汎用性の高い設定キースイッチをユニット化して、再利用・交換可能とすることで、コストの低減を図りつつ、設定変更時の作業性を向上するとともに、不正な設定変更を抑止できる設定キーユニットと、これを装着した遊技機用基板ケースと、この遊技機用基板ケースを備える遊技機の提供を目的とする。
【課題を解決するための手段】
【０００６】
上記目的を達成するため、本発明の設定キーユニットは、遊技機の大当り当せん確率を設定変更可能な状態にする設定キースイッチを備える設定キーユニットであって、キー操作に基づく設定キースイッチからの信号を伝送するとともに、所定の回路基板と着脱可能に接続される接続部と、設定キースイッチの鍵穴部以外と前記接続部を覆うとともに、設定キースイッチを支持するホルダーと、設定キースイッチの鍵穴部を開閉可能に覆うカバーと、当該設定キーユニットを遊技機内の所定の部位に取り付ける取り付け構造と、を備える構成としてある。
【０００７】
また、本発明の遊技機用基板ケースは、設定キースイッチからの信号に基づいて大当り当せん確率を設定変更可能な状態に制御する主基板が収容された遊技機用基板ケースであって、前記設定キースイッチを備える設定キーユニットが装着され、前記設定キーユニットを請求項１〜４のいずれか一項に記載の設定キーユニットとしてある。
【０００８】
また、本発明の遊技機は、設定キースイッチからの信号に基づいて大当り当せん確率を設定変更可能な状態に制御する主基板が収容された遊技機用基板ケースを備える遊技機であって、前記遊技機用基板ケースを請求項５記載の遊技機用基板ケースとしてある。
【発明の効果】
【０００９】
本発明の設定キーユニットと、これを装着した遊技機用基板ケースと、この遊技機用基板ケースを備える遊技機によれば、汎用性の高い設定キースイッチをユニット化することで、コストの低減を図りつつ、設定変更時の作業性を向上するとともに、不正な設定変更を抑止できる。
【図面の簡単な説明】
【００１０】
【図１】本発明の一実施形態に係るスロットマシンの正面図である。
【図２】本発明の一実施形態に係るスロットマシンの内部構成を示す斜視図である。
【図３】本発明の一実施形態に係る遊技機用基板ケースの正面図である。
【図４】本発明の一実施形態に係る設定キーユニットの斜視図であり、（ａ）は、カバーを閉じた状態を示す図であり、（ｂ）は、カバーを開いた状態を示す図である。
【図５】本発明の一実施形態に係る設定キーユニットの断面図であり、（ａ）は、カバーを閉じた状態を示す図であり、（ｂ）は、カバーを開いた状態を示す図である。
【図６】本発明の一実施形態に係る設定キーユニットの組立斜視図であり、設定キースイッチをホルダーに取り付ける図である。
【図７】本発明の一実施形態に係る設定キーユニットを基板ケースに装着する組立斜視図である。
【発明を実施するための形態】
【００１１】
以下、本発明の設定キーユニットと、これを装着した遊技機用基板ケースと、この遊技機用基板ケースを備える遊技機の好ましい実施形態について、各図を参照して説明する。
遊技機には、パチンコ機、スロットマシン、アレンジボール、雀球など様々な機類があるが、本実施形態では、メダルを遊技媒体とするスロットマシンに、本発明の設定キーユニットと、これを装着した遊技機用基板ケースを適用した場合について説明する。
【００１２】
図１、図２に示すように、本実施形態のスロットマシン１は、複数のリール７１ａ，７１ｂ，７１ｃを回転させることによって遊技媒体（メダル）を獲得することができるとともに、予め６段階に分けて設定された大当りの抽せん確率をいずれかの段階に設定変更可能な設定確率変更機能を備える回胴式遊技機である。
スロットマシン１は、必要な機械、装置等を収納する正面側が開口した筐体１ｂと、筐体１ｂの正面側を開閉可能に覆う前扉１ａとで構成されている。
前扉１ａは、筐体１ｂにヒンジ１ｃを介して開閉可能に取り付けられる扉体で、この前扉１ａに、メダルを投入するメダル投入口２、各リール７１の回転を始動させるスタートレバー３や、回転している各リール７１を停止させる３つの停止ボタン４ａ〜４ｃ、押下操作により内部記憶（クレジット）されたメダルをゲームに投入するＭＡＸＢＥＴボタン５ａと１ＢＥＴボタン５ｂなどの複数の操作手段や、払出メダル数と、設定確率が変更可能な状態において、いずれかの段階（１〜６）を表示する払出枚数表示部６などが設けられて、スロットマシン１の正面部を構成している。
また、前扉１ａの裏面には、設定確率が変更可能な状態において、６段階に分かれた抽せん確率のうちいずれかの段階を選択可能な選択スイッチが設けられ、払出枚数表示部６に表示されたいずれかの段階を視認しつつ、設定確率を選択できるようになっている（不図示）。
【００１３】
筐体１ｂの中央には、リール７１ａ，７１ｂ，７１ｃと、各リー７１を回転可能に支持する図示しないモータ及び回転位置を検出するセンサ等が設けられている。
また、筐体１ｂの下部には、メダルの貯留・払出しを行うメダル払出装置８と、電源を生成・供給する電源ボックス９が設けられ、筐体１ｂの後面上部には、基板ケース１０が取り付けられている。
【００１４】
基板ケース１０には、上記の各操作手段からの信号に基づき、各リール７１、メダル払出装置８などの各装置を制御することで、スロットマシン遊技の進行制御を行う、いわゆる主基板１０ａが収容されるとともに、キー操作によって設定確率が変更可能な状態にする設定キースイッチ１１０を備える設定キーユニット１１が装着されている。
基板ケース１０は、無色透明な工業用樹脂（例えば、ポリカーボネート）で形成された二つのケースを備え、主基板１０ａはこれらのケースの間に挟まれるように収容されている。
【００１５】
主基板１０ａは、ＣＰＵ（中央演算処理装置）、ＲＯＭ及びＲＡＭなどの記憶手段、Ｉ／ＯインターフェイスなどのＩＣ部品、抵抗、コンデンサ、トランジスタなどを備えるコンピュータとして構成されている。
ＲＯＭには、スロットマシン１を制御する制御プログラムやデータが記憶され、このデータには、ゲーム毎に行われる内部抽せんにおいて、乱数と比較される大当り抽せんデータテーブルが設定されている。
【００１６】
大当り抽せんデータテーブルは、大当りとなるボーナス役、メダルが払出される小役、メダルを投入することなく次回遊技可能となる再遊技役（リプレイ）、ハズレなどの抽せん対象の当せん範囲が数値化されたデータテーブルで、スタートレバー３操作のタイミングで取得される乱数と比較され、この乱数の属する当せん範囲の抽せん対象に当せんするようになっている。すなわち、各抽せん対象の当せん範囲を変えることで、各抽せん対象の当せん確率が変化するデータテーブルとなっている。
本実施形態のスロットマシン１では、ボーナス役や小役などの当せん範囲（抽せん確率）が異なる６つの大当り抽せんデータテーブルがＲＯＭに記憶され、主基板１０ａが、電源投入時において設定キースイッチからのオン信号を受信すると、設定確率を変更可能な状態とする。この状態で、前述の選択スイッチを操作することで、任意のデータテーブルを選択できるとともに、スタートレバー３を操作することにより、選択した設定確率への変更が決定され、さらに設定キースイッチをオフに戻すことで、以後この選択された大当り抽せんデータテーブルが内部抽せん時の参照テーブルとして用いられる。
【００１７】
このような構成からなるスロットマシン１は、主基板１０ａにより、以下のように制御されてスロットマシン遊技が進行する。
まず、遊技者によりメダル投入口２からメダルが投入され、スタートレバー３が操作されると、主基板１０ａは、各リール７１を回転させる制御を行うとともに、設定された大当り抽せんデータテーブルを参照してボーナスや小役等を抽せんする内部抽せんを行い、各停止ボタン４が押下操作されたタイミングに基づき、当せん結果に応じた図柄の組合せで停止するよう、回転している各リール７１の停止制御を行う。
また、主基板１０ａは、各リール７１に停止表示される図柄の組合せを判定し、所定の図柄の組合せのときには、メダル払出装置８に対して所定数のメダルを払い出させる制御を行う。
【００１８】
設定キーユニット１１は、図３に示すように、基板ケース１０の左側に装着され、キー操作によって主基板１０ａにオン信号を出力するスイッチであって、このオン信号に基づいて主基板１０ａを設定変更可能な状態にする設定キースイッチ１１０を備えている。
このように設定キーユニット１１を基板ケース１０の左側に装着することで、基板ケース１０を筐体１ｂ後面に取り付けた状態では、図２に示すように、設定キーユニット１１がヒンジ１ｃ側に配置される。
これにより、設定キースイッチ１１０を操作するためには、前扉１ａを大きく開放しなければならないため、前扉１ａを僅かに開放して行う不正行為を排除することができる。
【００１９】
設定キーユニット１１は、図４に示すように、設定キースイッチ１１０を覆うカバー構造を有し、無色透明な工業用樹脂（例えば、ポリカーボネート）で形成されている。
具体的には、設定キーユニット１１は、キー操作に基づく設定キースイッチ１１０からの信号を伝送するとともに、主基板１０ａと着脱可能に接続される接続部と、設定キースイッチ１１０の鍵穴部１１０ａ以外と接続部を覆うとともに、設定キースイッチ１１０を支持するホルダー１１１と、設定キースイッチ１１０の鍵穴部１１０ａを開閉可能に覆うカバー１１５と、設定キーユニット１１を基板ケース１０に取り付ける取り付け構造と、を備えている。
以下、設定キーユニット１１の各部の詳細について、図４〜図７を参照して説明する。
【００２０】
ホルダー１１１は、図４に示すように、設定キースイッチ１１０の鍵穴部１１０ａ以外を覆うスイッチ被覆部１１１ａと、主基板１０ａとのコネクタ接続部を覆うコネクタ被覆部１１１ｂとが滑らかに繋がるドーム状に形成され、ガイドリブ１１２、固定リブ１１３、ヒンジ部１１４を備えている。
固定リブ１１３には、固定孔１１３ａが形成され、ガイドリブ１１２とともに、設定キーユニット１１を基板ケース１０に取り付けるための取り付け構造として構成されている（図７参照）。
ヒンジ部１１４は、スイッチ被覆部１１１ａの側面１１１ｅから突出した部位で、カバー１１５に凸設された軸部１１５ｂを回動可能に支持する軸受孔（不図示）と、回動する軸方向と直交する方向に弾性変形する板バネ１１４ａとを備えている。
【００２１】
カバー１１５は、鍵穴部１１０ａを覆う蓋材であり、軸部１１５ｂを中心に回動して開閉動作を行う。カバー１１５は、開閉操作のために摘む把手１１５ａと、軸部１１５ｂを中心に形成されたカム１１５ｃとを備えている。
カム１１５ｃは、カバー１１５とともに回動するカムであり、図５に示すように、軸部１１５ｂと最も近接した部位である、スイッチ被覆部１１１ａ（側面１１１ｅと上面１１１ｃとの境界付近）との距離（半径Ｒ）に対して大きい半径となる当接部１１５ｃＡと、ほぼ同じ半径となる非当接部１１５ｃＢとが滑らかに繋がる形状を有している。
当接部１１５ｃＡは、閉状態から開状態の間に亘り、スイッチ被覆部１１１ａに当接するように形成され、非当接部１１５ｃＢは、スイッチ被覆部１１１ａにほぼ非当接となるように形成されている。
このように構成されたカム１１５ｃと板バネ１１４ａにより、カバー１１５は、外力を加えない限り、開状態又は閉状態のいずれかの状態を保持することができるようになっている。
【００２２】
具体的には、図５（ａ）に示すように、カバー１１５が閉状態のときに、把手１１５ａを摘んでＡ方向に外力を加えると、当接部１１５ｃＡがカバー１１５の回動を妨げ、加えられる外力が小さいときには、カバー１１５を閉状態に保持するように作用する。
さらに、Ａ方向に外力を加えると、当接部１１５ｃＡがスイッチ被覆部１１１ａに当接することにより軸部１１５ｂが上昇し、この軸部１１５ｂを支持する板バネ１１４ａを軸方向と直交するＹ方向に弾性変形させることで、図５（ｂ）に示すように、カバー１１５を開状態にすることができる。
【００２３】
カバー１１５は、この開状態で、自重によってＢ方向に回動しようとする。ところが、当接部１１５ｃＡがスイッチ被覆部１１１ａ（側面１１１ｅと上面１１１ｃとの境界付近）に当接するため、当接部１１５ｃＡがカバー１１５を開状態に保持するように作用する。
設定確率を変更する際に行われるキー操作は、この開状態で行うことができ、カバー１１５がＢ方向に回動しないため、キー操作を妨げることはない。
さらに、Ｂ方向に外力を加えると、当接部１１５ｃＡがスイッチ被覆部１１１ａに当接することにより軸部１１５ｂが上昇し、この軸部１１５ｂを支持する板バネ１１４ａを軸方向と直交するＹ方向に弾性変形させることで、図５（ａ）に示すように、カバー１１５を閉状態にすることができる。
【００２４】
このように、カバー１１５とともに回動し、閉状態から開状態の間に亘り、スイッチ被覆部１１１ａに当接するカム１１５ｃを設けることで、外力を加えない限り、カバー１１５を開状態又は閉状態のいずれかの状態に保持することができるようになっている（開閉保持構造）。
さらに、軸部１１５ｂを板バネ１１４ａで支持することで、板バネ１１４ａが弾性変形することにより、当接部１１５ｃＡとスイッチ被覆部１１１ａとの当接を回避させることができ、カバー１１５を開閉させることができる。
これにより、遊技場の管理者等が設定変更を行うときには、このカバー１１５を閉状態から開状態にするとともに、カバー１１５が障害となることなく開状態のままキー操作を行った後、再び閉状態にすることができる。そして、これら一連の開閉操作を片手で行うことができ、設定変更時の作業性を向上させることができる。
【００２５】
設定キースイッチ１１０は、鉄などの導電体で形成され、図６に示すように、設定キーが挿入される鍵穴部１１０ａと、ネジ溝が形成されたシリンダ部１１０ｂと、キー操作に基づく信号を出力するリード部１１０ｃを備えている。
設定キースイッチ１１０は、ホルダー１１１の上面１１１ｃに形成された開口部１１１ｄに挿入されるとともに、ナット１１７をシリンダ部１１０ｂに螺入してホルダー１１１に螺着される。
ワッシャ１１８と導電体で形成されたアース端子１１６は、ナット１１７とともに、友締めされ、アース端子１１６は、図４に示すように、スイッチ被覆部１１１ａ（側面１１１ｅ）から突出するように取り付けられる。
【００２６】
アース端子１１６は、所定のアース線と接続されて、接地されるようになっている。これにより、キー操作に際して人体に帯電した静電気をこのアース端子１１６を介して逃がすことができ、主基板１０aへの静電気の侵入を防止することができる。
また、リード部１１０ｃは、所定のケーブルと半田接合され、その先端には、主基板１０aと接続されるコネクタが設けられている（不図示）。
これにより、設定キースイッチ１１０は主基板１０aと電気的に接続され、対応する設定キーを挿入・回転してオン状態としたまま、電源ボックス９に設けられた電源スイッチ９ａをオン（電源投入）することで、主基板１０aにオン信号が入力され、大当り確率を変更可能な状態とすることができる。
これらの図示しないケーブルとコネクタは、コネクタ被覆部１１１ｂにより覆われ、外部から操作できないようになっている。
【００２７】
このように構成された設定キーユニット１１は、基板ケース１０に以下のように装着される。
基板ケース１０には、図７に示すように、設定キーユニット１１を装着するユニット装着部１０ｂを形成してある。
ユニット装着部１０ｂには、基板ケース１０左側面から突出するＬ字状に形成されたガイド部１０１と、設定キーユニット１１を装着した状態で、固定孔１１３ａと連通する固定孔１０２と、シリンダ部１１０ｂを囲む囲いリブ１０３と、主基板１０ａに設けられたコネクタ１０４と、が形成されている。
【００２８】
設定キーユニット１１のユニット装着部１０ｂへの装着は、まず、リード部１１０ｃとケーブルを介して繋がる図示しないコネクタをコネクタ１０４に接続するとともに、シリンダ部１１０ｂを囲いリブ１０３に挿入する。
さらに、ガイドリブ１１２上面がガイド部１０１下面に当接するように、Ｌ字に案内されてスライド挿入するとともに、この状態で連通する固定孔１１３ａと固定孔１０２に所定のネジを螺入することで、設定キーユニット１１をユニット装着部１０ｂに装着することができる。
このように、設定キーユニット１１は、コネクタの接続とネジ一本で基板ケース１０に着脱することができるため、再利用や交換が容易にでき、コストの低減を図ることができる。
【００２９】
また、設定キースイッチ１１０に設けられた、リード部１１０ｃと、これと繋がるケーブル及びコネクタと、主基板１０ａに設けられたコネクタ１０４とからなる接続部は、シリンダ部１１０も含め、ホルダー１１１によって覆われるため、異物を侵入させて直接リード部１１０ｃやコネクタ１０４を操作する不正行為を排除することができる。
さらに、設定キーユニット１１を装着した基板ケース１０は、筐体１ｂ上部に配置されるため、筐体１ｂ下部に配置されている電源スイッチ９ａと離間させることができる（図２参照）。一般的なスロットマシンでは、設定キースイッチ１１０は電源ボックス９に設けてあり、電源スイッチ９ａと近接しているが、このように離れて配置することで、同時に操作することが困難となるため、不正な設定変更を抑止することができる。
【００３０】
以上説明したように、本実施形態に係る設定キーユニット１１と、これを装着した基板ケース１０と、この基板ケース１０を備えるスロットマシン１によれば、汎用性の高い設定キースイッチ１１０をユニット化することで、コストの低減を図りつつ、設定変更時の作業性を向上するとともに、不正な設定変更を抑止できる。
【００３１】
以上、本発明の設定キーユニットと、これを装着した遊技機用基板ケースと、この遊技機用基板ケースを備える遊技機について、好ましい実施形態を示して説明したが、本発明に係る設定キーユニットと、これを装着した遊技機用基板ケースと、この遊技機用基板ケースを備える遊技機は、上述した実施形態にのみ限定されるものではなく、本発明の範囲で種々の変更実施が可能であることはいうまでもない。
【００３２】
例えば、本実施形態では、設定キーユニットと、これを装着した遊技機用基板ケースをスロットマシンに適用したが、パチンコ機、スロットマシン、アレンジボール、雀球などの様々な遊技機に適用することができる。
また、本実施形態では、設定キーユニットを主基板を収容する基板ケース１に装着したが、電源基板を収容する電源ボックスや、スピーカやランプ等を制御する演出用の基板であるサブ基板を収容する基板ケースに装着することもできる。
【産業上の利用可能性】
【００３３】
本発明は、設定キースイッチを備える遊技機に広く利用することができる。
【符号の説明】
【００３４】
１  スロットマシン
１０  基板ケース
１０ａ  主基板
１０ｂ  ユニット装着部
１１  設定キーユニット
１１０  設定キースイッチ
１１０ａ  鍵穴部
１１０ｂ  シリンダ部
１１０ｃ  リード部
１１１  ホルダー
１１２  ガイドリブ（取り付け構造）
１１３  固定リブ（取り付け構造）
１１３ａ  固定孔（取り付け構造）
１１４  ヒンジ部
１１４ａ  板バネ（弾性支持部）
１１５  カバー
１１５ａ  把手
１１５ｂ  軸部
１１５ｃ  カム
１１６  アース端子
【図１】
2011078674.tif 000003
【図２】
2011078674.tif 000004
【図３】
2011078674.tif 000005
【図４】
2011078674.tif 000006
【図５】
2011078674.tif 000007
【図６】
2011078674.tif 000008
【図７】
2011078674.tif 000009